(57)【特許請求の範囲】
【請求項１】
建物外壁に臨んで設けた固定収納枠体内に、折り畳んだ救助袋を載置する載置台枠を建物外壁方向に向かって回転自在に設けると共に、載置台枠の後部に救助袋の上端部を垂下するための袋取付枠を回転自在に連結し、該袋取付枠を折り畳んだ救助袋の背後に位置して起立状態に収納し、投下時に折り畳んだ救助袋の最上部に位置する救助袋下端部から救助袋を垂下し、救助袋の垂下に伴って前記袋取付枠を載置台枠の前方に位置して建物外壁に臨んで突出し救助袋を垂下するようになした垂直式救助袋の収納投下装置。
【請求項２】
請求項１に記載の垂直式救助袋の収納投下装置において、固定収納枠体内に、載置台枠を底部に、袋取付枠を背後に折り畳んだ状態で収納し、救助袋を上部から順次に載置台枠上に折り畳んで救助袋の下端部が最上部に位置するように収納し、投下時に、最上部の救助袋の下端部から順次に垂下するようになした垂直式救助袋の収納投下装置。
【請求項３】
請求項１又は２に記載の垂直式救助袋の収納投下装置において、固定収納枠体内に収納した救助袋に垂下用錘を設けてなる垂直式救助袋の収納投下装置。
【請求項４】
請求項１、２又は３に記載の垂直式救助袋の収納投下装置において、固定収納枠体に、収納した救助袋を保持し収納状態に維持する取り付け帯体を設けると共に、取り付け帯体にワンタッチ離脱連結部を設けてなる垂直式救助袋の収納投下装置。
【請求項５】
請求項３又は４に記載の垂直式救助袋の収納投下装置において、垂下用錘の支持具にワンタッチ離脱連結部を設けてなる垂直式救助袋の収納投下装置。
【請求項６】
請求項１乃至５のいずれかに記載の垂直式救助袋の収納投下装置において、建物外壁面に沿って垂下した救助袋の上端開口部に袋取付枠が乗り込み口として開口する垂直式救助袋の収納投下装置。
【請求項７】
請求項４乃至６のいずれかに記載の垂直式救助袋の収納投下装置において、ワンタッチ離脱連結部の離脱操作を行う収納解放用取っ手を固定収納枠体の背後に設けてなる垂直式救助袋の収納投下装置。
【請求項８】
請求項１乃至７のいずれかに記載の垂直式救助袋の収納投下装置において、固定収納枠体内に、救助袋の上端開口部に乗り込むための立枠を袋取付枠と共に載置台枠の後部に対して回転自在に連結してなる垂直式救助袋の収納投下装置。
【請求項９】
請求項１乃至８のいずれかに記載の垂直式救助袋の収納投下装置において、建物の途中階の退避開口部に相当する位置に救助袋の乗り込み口が位置するようになした垂直式救助袋の収納投下装置。
【請求項１０】
請求項４乃至９のいずれかに記載の垂直式救助袋の収納投下装置において、ワンタッチ離脱連結部の離脱操作用の収納解放紐を各階の退避開口部に沿って垂下し、各階の退避開口部の付近に収納解放紐に連結した収納解放用取っ手を配設してなる垂直式救助袋の収納投下装置。
【請求項１１】
請求項１乃至１０のいずれかに記載の垂直式救助袋の収納投下装置において、救助袋内に螺旋状の滑走路を設けてなる垂直式救助袋の収納投下装置。
【請求項１２】
請求項１乃至１１のいずれかに記載の垂直式救助袋の収納投下装置において、建物の外壁に前記乗り込み口の垂下方向を規制する案内部材を設けると共に、前記乗り込み口の口枠部に前記案内部材に係合する案内部を設け、前記口枠部が前記退避開口部に位置するようになした垂直式救助袋の収納投下装置。
【請求項１３】
請求項７に記載の垂直式救助袋の収納投下装置において  、案内部材がロープ、ワイヤロープ、紐等の索部材からなると共に、案内部が案内部材に摺動自在に係合するパイプ又はリング等の摺動部材からなる垂直式救助袋の収納投下装置。
【発明の詳細な説明】
【０００１】
【発明の属する技術分野】
本発明は、緊急避難時に建物の退避開口部に相当する位置から張り出させた袋取付枠から柔軟な救助袋を建物外壁面に沿って垂下し、救助袋の上端開口部、又は、途中階の退避開口部から救助袋の途中に設けた乗り込み口に乗り込んで退避するようになした退避装置の垂直式救助袋を折り畳んで収納し、非常時に一動作で垂下するようになした垂直式救助袋の収納投下装置に関する。
【０００２】
【従来の技術】
従来、緊急避難時に、建物の途中階の退避開口部に相当する位置に沿って柔軟な救助袋を建物最上階に設けた袋取付枠から垂下し、前記退避開口部に救助袋の乗り込み口が位置するようになした垂直式救助袋を退避開口部の下方の室内に折り畳んで収納し、非常時にこれを、動力を用いて退避開口部から外に投下するようになした垂直式救助袋の収納投下装置は知られている（特許文献１参照）。
【特許文献１】
特開昭５３−６４９９９号
【０００３】
【発明が解決しようとする課題】
本発明が解決しようとする課題は、緊急避難時に、救助袋を簡単に投下することができ、慣れない避難者が、如何に安全、迅速に、建物の避難開口部から救助袋の乗り込み口を経て救助袋内に入り込むことができるかということである。
従来、緊急時に救助袋を短時間に正確に垂下することは相当に難しく、且つ、収納された救助袋が投下口より下方に位置する場合には、相当の労力と時間を要し、動力で投下するには操作方法を知らない場合や停電した場合に問題があり、また、下の階から上階に収納した救助袋を投下する更に難しい課題があった（特許文献１参照）。
【０００４】
【課題を解決するための手段】
そこで、本発明は、特許請求の範囲の請求項１に記載のように、建物外壁に臨んで設けた固定収納枠体内に、折り畳んだ救助袋を載置する載置台枠を建物外壁方向に向かって回転自在に設けると共に、載置台枠の後部に救助袋の上端部を垂下するための袋取付枠を回転自在に連結し、該袋取付枠を折り畳んだ救助袋の背後に位置して起立状態に収納し、投下時に折り畳んだ救助袋の最上部に位置する救助袋下端部から救助袋を垂下し、救助袋の垂下に伴って前記袋取付枠を載置台枠の前方に位置して建物外壁に臨んで突出し救助袋を垂下するようになした垂直式救助袋の収納投下装置を提供するものである。
【０００５】
本発明によれば、救助袋を収納した固定収納枠体が建物外壁に臨んで設けてあるから、載置台枠上に載置して折り畳んだ救助袋を固定枠体内から外方に投下する一動作だけで、救助袋を建物外壁に沿って瞬時に投下することができると共に、救助袋の投下に伴って袋取付枠と載置台枠が同時に回転して固定収納枠体から外方に突出し、投下した救助袋をそのまま垂下することができる。
【０００６】
また、本発明は、請求項２に記載のように、請求項１に記載の垂直式救助袋の収納投下装置において、固定収納枠体内に、載置台枠を底部に、袋取付枠を背後に折り畳んだ状態で収納し、救助袋を上部から順次に載置台枠上に折り畳んで救助袋の下端部が最上部に位置するように収納し、投下時に、最上部の救助袋の下端部から順次に垂下するようになした垂直式救助袋の収納投下装置を提供するものである。
【０００７】
本発明によれば、固定収納枠体内に救助袋を収納するときに、載置台枠を底部に、袋取付枠を背後に折り畳んだ状態で、救助袋を上部から順次に載置台枠上に折り畳んで救助袋の下端部が最上部に位置するように収納することにより、投下時に、最上部の救助袋の下端部から人手を加えずに下方に円滑に滑り落とすことができると共に、折り畳むときには、載置台上に救助袋の最上部を取り付けた袋取付枠を背後に位置せしめてそのまま載置台上に救助袋の最上部から順次に容易に円滑に折り畳んで収納することができる。
【０００８】
また、本発明は、請求項３に記載のように、請求項１又は２に記載の垂直式救助袋の収納投下装置において、固定収納枠体内に収納した救助袋に垂下用錘を設けてなる垂直式救助袋の収納投下装置を提供するものである。
本発明によれば、投下時に、垂下用錘を先に落下させることにより救助袋を円滑、容易且つ迅速に垂下することができる。
【０００９】
また、本発明は、請求項４に記載のように、請求項１、２又は３に記載の垂直式救助袋の収納投下装置において、固定収納枠体に、収納した救助袋を保持し収納状態に維持する取り付け帯体を設けると共に、取り付け帯体のにワンタッチ離脱連結部を設けてなる垂直式救助袋の収納投下装置を提供するものである。
本発明によれば、取り付け帯体により、固定収納枠体内に収納した救助袋を確実に保持し収納状態に維持することができると共に、取り付け帯体をワンタッチ離脱連結部をワンタッチで離脱することにより、救助袋を即座に垂下することができる。
【００１０】
また、本発明は、請求項５に記載のように、請求項３又は４に記載の垂直式救助袋の収納投下装置において、垂下用錘の支持具にワンタッチ離脱連結部を設けてなる垂直式救助袋の収納投下装置を提供するものである。
本発明によれば、垂下用錘を、ワンタッチ離脱連結部をワンタッチで離脱することにより、即座に垂下することができ、救助袋をワンタッチで簡単に垂下することができる。
【００１１】
また、本発明は、請求項６に記載のように、請求項１乃至５のいずれかに記載の垂直式救助袋の収納投下装置において、建物外壁面に沿って垂下した救助袋の上端開口部に袋取付枠が乗り込み口として開口する垂直式救助袋の収納投下装置を提供するものである。
本発明によれば、垂下した救助袋の上端開口部に袋取付枠体から乗り込んで避難することができるから、建物の屋上又は各階の退避開口部にそれぞれ固定収納枠体を設置することにより、どの階からも安全且つ迅速に退避することができる。
【００１２】
また、本発明は、請求項７に記載のように、請求項４乃至６のいずれかに記載の垂直式救助袋の収納投下装置において、ワンタッチ離脱連結部の離脱操作を行う収納解放用取っ手を固定収納枠体の背後に設けてなる垂直式救助袋の収納投下装置を提供するものである。
本発明によれば、固定収納枠体の背後でワンタッチ離脱連結部を離脱することができるから固定収納枠体を設けた階から、救助袋を投下して、そのまま袋取付枠体により垂下した救助袋の上端開口部から退避することができる。
【００１３】
また、本発明は、請求項８に記載のように、請求項１乃至７のいずれかに記載の垂直式救助袋の収納投下装置において、固定収納枠体内に、救助袋の上端開口部に乗り込むための立枠を袋取付枠と共に載置台枠の後部に対して回転自在に連結してなる垂直式救助袋の収納投下装置を提供するものである。
本発明によれば、救助袋の垂下と同時に、固定収納枠体内に収納していた救助袋の上端開口部に乗り込むための立枠を、袋取付枠と共に突出させ、避難者が救助袋上端開口部内に安全且つ容易に乗り込むことができる。
【００１４】
また、本発明は、請求項９に記載のように、請求項１乃至８のいずれかに記載の垂直式救助袋の収納投下装置において、建物の途中階の退避開口部に相当する位置に救助袋の乗り込み口が位置するようになした垂直式救助袋の収納投下装置を提供するものである。
本発明によれば、垂下した救助袋に途中階の退避開口部から乗り込んで避難することができるから、一個の救助袋により建物の屋上又は各階の退避開口部からも安全且つ迅速に退避することができる。
【００１５】
また、本発明は、請求項１０に記載のように、請求項４乃至９のいずれかに記載の垂直式救助袋の収納投下装置において、ワンタッチ離脱連結部の離脱操作用の収納解放紐を各階の退避開口部に沿って垂下し、各階の退避開口部の付近に収納解放紐に連結した収納解放用取っ手を配設してなる垂直式救助袋の収納投下装置を提供するものである。
本発明によれば、ワンタッチ離脱連結部の離脱操作用の収納解放紐を各階に設けた収納解放用取っ手により離脱することができるから、各階の非常時に対応して救助袋を垂下することができる。
【００１６】
また、本発明は、請求項１１に記載のように、請求項１乃至１０のいずれかに記載の垂直式救助袋の収納投下装置において、救助袋内に螺旋状の滑走路を設けてなる垂直式救助袋の収納投下装置を提供するものである。
本発明によれば、避難者は、垂下した救助袋の上端開口部のみならず途中階の退避開口部からも袋内に乗り込んで、螺旋状の滑走路を降下することができる。
【００１７】
また、本発明は、請求項１２に記載のように、請求項１乃至１１のいずれかに記載の垂直式救助袋の収納投下装置において、建物の外壁に前記乗り込み口の垂下方向を規制する案内部材を設けると共に、前記乗り込み口の口枠部に前記案内部材に係合する案内部を設け、前記口枠部が前記退避開口部に位置するようになした垂直式救助袋の収納投下装置を提供するものである。
【００１８】
本発明によれば、建物外壁に臨んで設けた固定収納枠体内に、折り畳んだ救助袋の乗り込み口の口枠部を建物の外壁に設けた案内部材に案内させることができるから、投下時に、救助袋を垂下するだけで、救助袋に設けた乗り込み口の口枠部の案内部が、建物の外壁に設けた案内部材に規制されて垂下し、垂下完了と同時に、乗り込み口が退避開口部に案内部材に規制されて確実に位置するから、緊急時に救助袋を瞬時に確実に設置することができ、強風等に対しても安定した状態で建物途中階の避難開口部に救助袋の乗り込み口を維持することができると共に、訓練を受けた者のみならず、慣れない避難者のいる火災等の緊急避難時の状況においても容易に避難することができる。
【００１９】
また、本発明は、請求項１３に記載のように、請求項１２に記載の垂直式救助袋を有する退避装置において  、案内部材がロープ、ワイヤロープ、紐等の索部材からなると共に、案内部が案内部材に摺動自在に係合するパイプ又はリング等の摺動部材からなる垂直式救助袋の収納投下装置を提供するものである。
本発明によれば、ロープ、ワイヤロープ、紐等の索部材を建物の外壁に沿って垂下し、上下端部を支持して張設するだけで、直線的な案内部材を建物外壁に正確且つ簡単に設置することができると共に、案内部材に摺動自在に係合するパイプ又はリング等の摺動部材からなる案内部を索部材に摺動自在に通すだけで、口枠部を案内部材に確実に係合し摺動させることができる。
【００２０】
【発明の実施の形態】
以下図示する実施例に基づき本発明の実施の形態を説明する。
図１又は図２に記載の実施例の場合、救助袋１の筒状外装体４の上端部は、実施例の場合、建物２０の屋上に固定された固定収納枠体３１から突出した四角形状の袋取付枠２７の４隅部に外周支持索５の上端部を一体に固定することによって、垂下されている。また、中央支持索３の上端部は袋取付枠２７の適宜な枠部に弛んだ状態で固定され、袋取付枠部２７の上部開口部から救助袋１内に乗り込めるように構成してある。
【００２１】
袋取付枠２７は、図１に記載のように、固定収納枠体３１の前支柱３２の下部に回転支軸３３及び載置台枠３４を介して取り付けてあり、吊り索２８、２９によりほぼ水平に支持されている。
載置台枠３４は、図３、図４、図７（ａ）に記載のように、載置台部３５がほぼ水平になるように回転支軸３３を中心に折り畳まれており、その上に、筒状外装体４が上方部分から順次に折り畳まれて、積み重ねられ、最終的には、図５に記載のように、取り付け帯体４０によって、前底枠部３６と後部上枠３７との間に収納状態を維持されている。
【００２２】
筒状外装体４の最上部に折り畳まれた部分には、図６に記載のように、吊り紐４６によって相当重量の砂袋等からなる垂下用錘４５が落下自在に連結してあり、垂下用錘４５が落下すると、それに連れて筒状外装体４が最上部に折り畳まれた部分から順次に落下し、その勢いで全ての筒状外装体４が図１又は図２に記載のように、落下するように構成してある。
【００２３】
筒状外装体４の落下の最終段階において、袋取付枠２７は、図７の（ａ）の矢標で記載のように、固定収納枠体３１内で起立した状態から、筒状外装体４に引かれて載置台枠３４を伴って回転支軸３３を中心に旋回して、固定収納枠体３１から外方に投げ出され、図７の（ｂ）に示すように、水平を維持して支持されることとなる。救命袋収納状態における袋取付枠２７の固定収納枠体３１内での起立角度は、救命袋の垂下に伴って載置台枠３４と共に固定収納枠体３１の外方に投げ出すことが可能な角度の範囲内で適宜に設定することができる。なお、図において、３８は底枠３９に設けた台座で、載置台枠３４に回転支軸３３を中心に回転方向に傾斜角度を付けて落下時の回転の始動を容易にするものである。
取り付け帯体４０の中間部には、ワンタッチ離脱連結部４１が設けてあり、階下において、収納解放紐４２を引くと、取り付け帯体４０が離脱するように構成してある。
【００２４】
ワンタッチ離脱連結部４１の構成は、実施例の場合、図５又は図６に記載のように、収納解放紐４２の端部に設けた二本のピンからなる接続端部４３が、取り付け帯体４０の連結孔部４４と砂袋４５の吊り紐４６の支持リング部４７に挿通しており、通常の取り付け帯体４０と垂下用錘４５の荷重だけでは離脱しないように設けてあり、非常時に、階下において、収納解放紐４２を引くと、接続端部４３の二本のピンが離脱して取り付け帯体４０及び垂下用錘４５が同時に離脱するように構成してある。
【００２５】
なお、図示の実施例の場合、接続端部４３の二本のピンの先端部には安全保持具４８が嵌合し、ピンの抜け落ち防止用に設けてあるが、接続端部４３の二本のピンだけで取り付け帯体４０と垂下用錘４５を離脱しないように保持し得る場合には不要である。
また、垂下用錘４５だけを取り付け帯体４０で支持しておき、ワンタッチ離脱連結部４１の作動により、垂下用錘４５だけが先に落下し、その直後に救助袋が垂下用錘４５に引かれて落下を開始する構成にすることも勿論可能であり、また、その場合、垂下用錘４５に落下用のばね部材のばね弾力を付与しておき、ワンタッチ離脱連結部４１の作動により、ばね弾力により垂下用錘４５が飛び込むように落下する構成にすることも可能である。
【００２６】
また、この場合、取り付け帯体４０及び垂下用錘４５に個々にワンタッチ離脱連結部４１を設け、一本の収納解放紐４２により階下から同時に操作することができるように構成することも勿論可能である。また、収納した救助袋を箱体等のカバー体で覆う場合には、そのカバー体の開閉扉のロック解除レバー等を収納解放紐４２で同時に解放するように構成することも勿論可能である。
収納解放紐４２は、固定収納枠体３１の前支柱３２に設けたダブルローラ等からなるストップ機能付きガイド部材５０によって案内されており、収納解放紐４２に設けたストッパ４９がダブルローラ等の間に係合して該紐４２の落下や離脱を阻止するように設けてある。
【００２７】
また、図示の実施例では、収納解放紐４２は、ほぼ水平方向から垂直方向に屈曲して案内されているが、水平方向部分はワンタッチ離脱連結部４１のピンの差し込み方向によっては、上向き又は下向きに傾斜することもあるが、この場合、ダブルローラ等からなる離脱防止機能付きガイド部材５０によって案内されることにより、収納解放紐４２が落下や離脱を阻止されている。また、収納解放紐４２の垂直部分は、建物外壁２３に固定して設けた案内管５１内を挿通して、各階の退避開口部２１に開口するように設けてある。５４は案内管５１を外壁２３に固定する固定具である。
【００２８】
５２は各階の退避開口部２１において開口する案内管５１の操作開口部で、この開口部５２において、収納解放紐４２をワンタッチ離脱連結部４１のピンを外すことができる適宜な長さだけ引くことができるように、収納解放用取っ手５３が収納解放紐４２に一体に固定してある。なお、救助取っ手５３に復帰ばねにより原位置に復帰する復帰機構を付与しておけば、ワンタッチ離脱連結部４１の復帰操作が容易になる。
【００２９】
なお、ワンタッチ離脱連結部４１の構成は、実施例の場合に限らず、例えば、接続端部４３のピンをばね弾力に抗して取り付け帯体４０及び垂下用錘４５にロックしておき、そのロックを収納解放紐４２を引くことにより解除すると、ばね弾力でピンが抜け落ちる機械的構成や電磁弁で作動する電気的構成のように、従来公知の種々の構成を採用することができる。
【００３０】
また、図８乃至図１０に記載の実施例の場合、本発明は、各階の開閉窓の開口部等からなる退避開口部に面して個々に設置し得る固定収納枠体３１内に、救助袋１の上端開口部に乗り込むためのコ字形状の立枠５５を袋取付枠２７と共に載置台枠３４の後部に対して回転自在に連結してなる垂直式救助袋の収納投下装置を提供するものである。
本発明によれば、救助袋１の垂下と同時に、固定収納枠体３１内に収納していた救助袋１の上端開口部に乗り込むための立枠５５を、載置台枠３４及び袋取付枠２７と共に各階の窓等に設けた退避開口部から突出させ、避難者が立枠５５を通って袋取付枠２６及び救助袋１の上端開口部内に安全且つ容易に乗り込むことができるように構成したものである。
【００３１】
また、取り付け帯体４０及び垂下用錘４５に設けたワンタッチ離脱連結部４１は、この実施例の場合には、固定収納枠体３１の裏側又は裏側室内を含めた固定枠体３１の背後に収納解放用の取っ手が設けてあり、この取っ手をにより収納解放紐４２を引くと、取り付け帯体４０や垂下用錘４５が離脱して、救助袋が垂下するように構成してあり、避難者は、固定収納枠体３１を設けた避難開口部から救助袋１の最上開口部に乗り込んでそのまま避難することができる。
また、図において、載置台枠３４は先の実施例と同様に折り畳んだ救助袋１をほぼ水平に載置する載置台部３５を一体に具備すると共に、吊り索２９によりほぼ水平に支持されるように構成してある。また、５６は立枠５５の起立状態を維持する吊り索、５７は立枠５５と袋取付枠２７の先端部を結ぶ袋取付枠２７の吊り索である。
なお、先の実施例と同じ構成部分については同一の符号を付して示してあり、その説明は省略する。
【００３２】
次に、本発明に係る救助袋１は、図１２及び図１３に記載のように、帯状をなす布地２の一側縁２ａを強靱なロープ、ワイヤロープ、紐、ベルト等からなる中央支持索３に取り付け、他側縁２ｂを強靱且つ柔軟な筒状外装体４の内側に適宜な傾斜を持たせて縫い付け、更に、筒状外装体４の外側に強靱なロープ、ワイヤロープ、紐等からなる外周支持索５を取り付け、外周支持索５の上端部をそれぞれ建物上部の取り付け構造体に固定して筒状外装体４を建物外側に沿って垂下すると、筒状外装体４内に布地２の螺旋状の滑走路が形成され、建物の途中階の退避開口部に相対する位置の筒状外装体４の乗り込み口６から乗り込んだ降下者Ａが滑走路に沿って安全に降下することができるように構成してある。
【００３３】
この場合、筒状外装体４の半径を大幅に超える幅を有する布地２により幅の広い滑走路を形成することにより、柔軟且つ強靱な中央支持索３が筒状外装体４内で自在に移動することができ、これによって、袋内に入った避難者に対応して袋半径に対して大幅な滑走路が確保されて、袋半径に比して大きな滑走路を有する救助袋を構成することができる。
従って、中央支持索３は救助袋内で直径方向に自在に移動するように緩やかに設け、その上端は救助袋上端開口からの滑走路への乗り込み口の確保のために、救助袋上端開口に偏って取り付けることが好ましい。
【００３４】
本発明に係る退避装置においては、実施例の場合、図１４及び図１５に記載のように、建物２０に設けた退避開口部２１に、筒状外装体４の乗り込み口６が合致するように、乗り込み口６に連通する口枠体７を一体に突設してある。
口枠体７は、筒状外装体４の乗り込み口６と建物との５０ｃｍ以内程度の間隔を連結するものであり、袋体と同様な強靱な布地から成り、開口部８の開口枠９の上部両端部を吊り紐１１により筒状外装体４の斜め上部に吊下固定することにより、口枠部７を維持するように構成してあり、従来は、開口枠９に設けた連結紐２２を建物２０の退避開口部２１の連結部に連結していた。
【００３５】
ここで、本発明に係る退避装置は、図１に記載のように、建物２０の外壁２３に前記乗り込み口６の垂下方向を規制する案内部材３０を設けると共に、前記乗り込み口６の口枠体７に案内部材３０に係合する案内部１０を設け、口枠体７が前記退避開口部２１に位置するように構成してある。
図示の実施例の場合、案内部材３０は、ほぼ同一形状を有する口枠体７の開口部８と建物２０の退避開口部２１の両側に位置して、張設したロープ、ワイヤロープ、紐等の２本の索部材からなり、図１に記載のように、上端部を建物２０の上部構造体である上部固定枠２４に固定し、下端部を建物外壁２３に固定した下部固定部材２５に固定して張設するだけで、直線的な案内部材３０を建物外壁２３に正確且つ簡単に設置することができる。
【００３６】
また、索部材からなる案内部材３０は、口枠体７に設けたパイプ又はリング等の摺動部材からなる案内部１０を貫通せしめることにより、案内部１０を案内部材３０に沿って簡単、確実に案内することができる。
図示の実施例の場合、案内部１０は、口枠体７の開口部８を形成する開口枠９の下枠部に一体に固定したパイプ状の口枠部材１２の両端部に一体に固定したパイプからなり、案内部材３０に沿って上方から下方に移動する際に、口枠部材１２を回転することなく建物外壁２３に対して平行を維持して移動することができる。
【００３７】
実施例の場合、口枠体７の開口枠９の下部の口枠部材１２には、パイプ状の支持枠１４が２本回転自在に設けてあり、口枠部材１２の突出位置を正確に設定することができるように構成してある。また、開口枠９の上部の口枠部１５にパイプ状の枠部材を設け、この口枠部１５に支持枠１４と同様にコ字状に支持枠１６を回転自在に設けることもできる。
従って、図１１に記載のように、口枠部材１２に掛け金具１３を突設し、これに対応して建物外壁２３に掛止金具２６を突設しておけば、口枠部９の掛け金具１３が上方から降りてきてそのまま退避開口部２１の掛止金具２６に係合するから、これら掛け金具１３と掛止金具２６とからなる自動的な係合手段を口枠部９と退避開口部２１にそれぞれ設けることによって、避難者は救助袋の垂下するだけで、何らの操作をすることなく、口枠部９を退避開口部２１に固定的に連結することができる。
【００３８】
なお、案内部１０が１個のリングからなる場合には、口枠部材１２は軸心回りで回転してしまうこととなり、掛け金具１３を平行を維持して移動できない恐れがあるから、案内部１０を口枠部材１０を間に２個以上のリング等で案内する２点支持の構成にすることが好ましい。
なお、この場合、図１１において、掛け金具１３と掛止金具２６とからなる係合手段を、口枠部９の右端部に設けてあるが、他の階の口枠部９と退避開口部２１には、中央部又は左端よりにそれぞれ配設することによって、複数階の退避開口部２１において、各階毎の係合手段の設置位置を変更したり、係合機構を変更することによって、係合手段が上の階の係合手段とは係合することがないから、複数階で口枠部９の係合手段と退避開口部２１の係合手段が確実に係合することとなる。
【００３９】
なお、口枠部９と退避開口部２１の係合手段としては、実施例の掛け金具１３と掛止金具２６の形態に限らず、永久磁石のＮＳ極の組み合わせや、面ファスナーのループと鈎の組み合わせ等を採用することにより、係合手段が上の階の係合手段とは係合することを防止し、複数階で口枠部９の係合手段と退避開口部２１の係合手段が確実に係合するようにするもできることは勿論である。
この係合手段は、建物の階数が増大して、建物２０の上部構造体である上部固定枠２４と建物下部の外壁２３に固定した下部固定部材２５の間隔が増大して、ロープ等からなる案内部材３０の長さが大きくなる場合、途中階における案内部材３０の中間部の揺れ幅が増大するような場合に有効である。
なお、図では省略したが、係合手段としては、図示のものに限定されることなく従来公知の種々の手段を採用することができることは勿論である。
【００４０】
また、案内部材３０は建物外壁に固定的に設けておくものであるから、図示の実施例のように、ロープ等の索部材に限らず、Ｔ字断面形状の溝を有する案内レール等からなる案内部材３０と、その案内レールの溝に嵌合するＴ字断面形状の滑車部材等からなる案内部１０を採用することも勿論可能である。このように、案内部材と案内部には、カーテンレールと滑車のような従来公知の案内手段を採用することができる。この場合、建物外壁に設けた硬質の案内レールによって中間部でも揺れが生じないから、これに係合する案内部の係合摺動部材により口枠部をより確実に案内して、退避開口部２１に係止させることができる。また、この場合、退避開口部２１付近において案内レールを外壁部に固定することによって、案内部材３０の揺れをほとんど無くし、前記係合手段を使用することなく、各階において、退避開口部２１に口枠部９を固定的に設置することができる。
なお、図４に記載のように、案内部１０は案内部材３０に沿って下の階のものが上部に位置して筒状外装体４は畳まれ、口枠体７の折り畳み状態に対応して、支持枠１４は口枠部材１２の回りで回転して折り畳まれることとなる。
【００４１】
【発明の効果】
以上の通り、本発明に係る垂直式救助袋の収納投下装置によれば、特許請求の範囲の請求項１に記載のように、建物外壁に臨んで設けた固定収納枠体内に、折り畳んだ救助袋を載置する載置台枠を建物外壁方向に向かって回転自在に設けると共に、載置台枠の後部に救助袋の上端部を垂下するための袋取付枠を回転自在に連結し、該袋取付枠を折り畳んだ救助袋の背後に位置して起立状態に収納し、投下時に折り畳んだ救助袋の最上部に位置する救助袋下端部から救助袋を垂下し、救助袋の垂下に伴って前記袋取付枠を載置台枠の前方に位置して建物外壁に臨んで突出し救助袋を垂下するようになした構成を有することにより、救助袋を収納した固定収納枠体が建物外壁に臨んで設けてあるから、載置台枠上に載置して折り畳んだ救助袋を固定枠体内から外方に投下する一動作だけで、救助袋を建物外壁に沿って瞬時に投下することができると共に、救助袋の投下に伴って袋取付枠と載置台枠が同時に回転して固定収納枠体から外方に突出し、投下した救助袋をそのまま垂下することができる効果がある。
【００４２】
また、本発明は、請求項２に記載のように、請求項１に記載の垂直式救助袋の収納投下装置において、固定収納枠体内に、載置台枠を底部に、袋取付枠を背後に折り畳んだ状態で収納し、救助袋を上部から順次に載置台枠上に折り畳んで救助袋の下端部が最上部に位置するように収納し、投下時に、最上部の救助袋の下端部から順次に垂下するようになした構成を有することにより、固定収納枠体内に救助袋を収納するときに、載置台枠を底部に、袋取付枠を背後に折り畳んだ状態で、救助袋を上部から順次に載置台枠上に折り畳んで救助袋の下端部が最上部に位置するように収納することにより、投下時に、最上部の救助袋の下端部から人手を加えずに下方に円滑に滑り落とすことができると共に、折り畳むときには、載置台上に救助袋の最上部を取り付けた袋取付枠を背後に位置せしめてそのまま載置台上に救助袋の最上部から順次に容易に円滑に折り畳んで収納することができる効果がある。
【００４３】
また、本発明は、請求項３に記載のように、請求項１又は２に記載の垂直式救助袋の収納投下装置において、固定収納枠体内に収納した救助袋に垂下用錘を設けてなる構成を有することにより、投下時に、垂下用錘を先に落下させることにより救助袋を円滑、容易且つ迅速に垂下することができる効果がある。
また、本発明は、請求項４に記載のように、請求項１、２又は３に記載の垂直式救助袋の収納投下装置において、固定収納枠体に、収納した救助袋を保持し収納状態に維持する取り付け帯体を設けると共に、取り付け帯体のにワンタッチ離脱連結部を設けてなる構成を有することにより、取り付け帯体により、固定収納枠体内に収納した救助袋を確実に保持し収納状態に維持することができると共に、取り付け帯体をワンタッチ離脱連結部をワンタッチで離脱することにより、救助袋を即座に垂下することができる効果がある。
【００４４】
また、本発明は、請求項５に記載のように、請求項３又は４に記載の垂直式救助袋の収納投下装置において、垂下用錘の支持具にワンタッチ離脱連結部を設けてなる構成を有することにより、垂下用錘を、ワンタッチ離脱連結部をワンタッチで離脱することにより、即座に垂下することができ、救助袋を一動作で簡単に垂下することができる効果がある。
また、本発明は、請求項６に記載のように、請求項１乃至５のいずれかに記載の垂直式救助袋の収納投下装置において、建物外壁面に沿って垂下した救助袋の上端開口部に袋取付枠が乗り込み口として開口する構成を有することにより、垂下した救助袋の上端開口部に袋取付枠体から乗り込んで避難することができるから、建物の屋上又は各階の退避開口部にそれぞれ固定収納枠体を設置することにより、どの階からも安全且つ迅速に退避することができる効果がある。
【００４５】
また、本発明は、請求項７に記載のように、請求項４乃至６のいずれかに記載の垂直式救助袋の収納投下装置において、ワンタッチ離脱連結部の離脱操作を行う収納解放用取っ手を固定収納枠体の背後に設けてなる構成を有することにより、固定収納枠体の背後でワンタッチ離脱連結部を離脱することができるから固定収納枠体を設けた階から、救助袋を投下して、そのまま袋取付枠体により垂下した救助袋の上端開口部から退避することができる効果がある。
また、本発明は、請求項８に記載のように、請求項１乃至７のいずれかに記載の垂直式救助袋の収納投下装置において、固定収納枠体内に、救助袋の上端開口部に乗り込むための立枠を袋取付枠と共に載置台枠の後部に対して回転自在に連結してなる構成を有することにより、救助袋の垂下と同時に、固定収納枠体内に収納していた救助袋の上端開口部に乗り込むための立枠を、袋取付枠と共に突出させ、避難者が救助袋上端開口部内に安全且つ容易に乗り込むことができる効果がある。
【００４６】
また、本発明は、請求項９に記載のように、請求項１乃至８のいずれかに記載の垂直式救助袋の収納投下装置において、建物の途中階の退避開口部に相当する位置に救助袋の乗り込み口が位置するようになした構成を有することにより、垂下した救助袋に途中階の退避開口部から乗り込んで避難することができるから、一個の救助袋により建物の屋上又は他の階の退避開口部からも安全且つ迅速に退避することができる効果がある。
【００４７】
また、本発明は、請求項１０に記載のように、請求項４乃至９のいずれかに記載の垂直式救助袋の収納投下装置において、ワンタッチ離脱連結部の離脱操作用の収納解放紐を各階の退避開口部に沿って垂下し、各階の退避開口部の付近に収納解放紐に連結した収納解放用取っ手を配設してなる構成を有することにより、ワンタッチ離脱連結部の離脱操作用の収納解放紐を各階に設けた収納解放用取っ手により離脱することができるから、各階の非常時に対応して救助袋を垂下することができる効果がある。
【００４８】
また、本発明は、請求項１１に記載のように、請求項１乃至１０のいずれかに記載の垂直式救助袋の収納投下装置において、救助袋内に螺旋状の滑走路を設けてなる構成を有することにより、避難者は、垂下した救助袋の上端開口部のみならず途中階の退避開口部からも袋内に乗り込んで、螺旋状の滑走路を降下することができる効果がある。
【００４９】
また、本発明は、請求項１２に記載のように、請求項１乃至１１のいずれかに記載の垂直式救助袋の収納投下装置において、建物の外壁に前記乗り込み口の垂下方向を規制する案内部材を設けると共に、前記乗り込み口の口枠部に前記案内部材に係合する案内部を設け、前記口枠部が前記退避開口部に位置するようになした構成を有することにより、建物外壁に臨んで設けた固定収納枠体内に、折り畳んだ救助袋の乗り込み口の口枠部を建物の外壁に設けた案内部材に案内させることができるから、投下時に、救助袋を垂下するだけで、救助袋に設けた乗り込み口の口枠部の案内部が、建物の外壁に設けた案内部材に規制されて垂下し、垂下完了と同時に、乗り込み口が退避開口部に案内部材に規制されて確実に位置するから、緊急時に救助袋を瞬時に確実に設置することができ、強風等に対しても安定した状態で建物途中階の避難開口部に救助袋の乗り込み口を維持することができると共に、訓練を受けた者のみならず、慣れない避難者のいる火災等の緊急避難時の状況においても容易に避難することができる効果がある。
【００５０】
また、本発明は、請求項１３に記載のように、請求項１２に記載の垂直式救助袋を有する退避装置において  、案内部材がロープ、ワイヤロープ、紐等の索部材からなると共に、案内部が案内部材に摺動自在に係合するパイプ又はリング等の摺動部材からなる構成を有することにより、ロープ、ワイヤロープ、紐等の索部材を建物の外壁に沿って垂下し、上下端部を支持して張設するだけで、直線的な案内部材を建物外壁に正確且つ簡単に設置することができると共に、案内部材に摺動自在に係合するパイプ又はリング等の摺動部材からなる案内部を索部材に摺動自在に通すだけで、口枠部を案内部材に確実に係合し摺動させることができる効果がある。
【図面の簡単な説明】
【図１】本発明装置の一実施例の全体の概略説明図。
【図２】その要部の概略拡大斜視図。
【図３】本発明装置の他の一実施例の全体の概略説明図。
【図４】その要部の拡大説明図。
【図５】その要部の拡大斜視図。
【図６】その要部の分解斜視図。
【図７】その要部の使用態様説明図。
【図８】本発明装置の他の一実施例の要部の概略拡大斜視図。
【図９】その要部の使用態様説明図。
【図１０】その要部の使用態様説明図。
【図１１】その他の要部の概略拡大斜視図。
【図１２】その要部の分解斜視図。
【図１３】その要部の使用態様説明図。
【図１４】その要部の使用態様説明図。
【図１５】その要部の拡大使用態様説明図。
【符号の説明】
１      救助袋
２      布地
３      中央支持索
４      筒状外装体
５      外周支持索
６      乗り込み口
７      口枠体
８      開口部
９      開口枠
１０    案内部
１１    吊り紐
１２    口枠部材
１３    掛け金具
１４    支持枠
１５    口枠部
１６    支持枠
２０    建物
２１    退避開口部
２２    連結紐
２３    外壁
２４    上部固定枠
２５    下部固定部材
２６    掛止金具
２７    袋取付枠
２８，２９    吊り索
３０    案内部材
３１    固定収納枠体
３２    前支柱
３３    回転支軸
３４    載置台枠
３５    載置台部
３６    前底枠部
３７    後部上枠
３８    台座
３９    底枠
４０    取り付け帯体
４１    ワンタッチ離脱連結部
４２    収納解放紐
４３    接続端部
４４    連結孔部
４５    垂下用錘
４６    吊り紐
４７    支持リング部
４８    安全保持具
４９    ストッパ
５０    ガイド部材
５１    案内管
５２    操作開口部
５３    収納解放用取っ手
５４    固定具
５５    立枠
５６    吊り索
５７    吊り索
【図１】
0003631739.tif 000002
【図２】
0003631739.tif 000003
【図３】
0003631739.tif 000004
【図４】
0003631739.tif 000005
【図５】
0003631739.tif 000006
【図６】
0003631739.tif 000007
【図７】
0003631739.tif 000008
【図８】
0003631739.tif 000009
【図９】
0003631739.tif 000010
【図１０】
0003631739.tif 000011
【図１１】
0003631739.tif 000012
【図１２】
0003631739.tif 000013
【図１３】
0003631739.tif 000014
【図１４】
0003631739.tif 000015
【図１５】
0003631739.tif 000016